(57)【特許請求の範囲】
【請求項１】
開口部を有する正面部と、左右の側壁部と、該左右の側壁部を連設する背面部により四周の壁面を構成され、正面部から背面部までの奥行きが壁芯で９００〜１０００ｍｍである平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられ、
第３のレール材が、対で、左右の側壁部にそれぞれ、該第２のレール材より背面部側に２０〜１００ｍｍの間隔をあけて備えられ、
第４のレール材が、対で、左右の側壁部にそれぞれ、該第３のレール材より正面部側に３５０〜４５０ｍｍの間隔をあけて備えられており、
第１のレール材、及び／又は第２のレール材の、それぞれ対となる同じ高さ位置に係止片を取り付け、該係止片にハンガーパイプを、左右の側壁部間に渡すように取り付けられて、第１のレール材に渡されたハンガーパイプに吊り下げられた衣類は、衣類の表裏面が背面部と平行となるように吊るされ、第２のレール材に渡されたハンガーパイプに吊り下げられた衣類は、衣類の表裏面が左右の側壁部と平行となるように吊るされ、
また、それぞれのレール材に係止片が取り付けられて、それぞれ対の第１のレール材と第３のレール材、及び／又はそれぞれ対の第２のレール材と第４のレール材とに渡すように、棚板を取り付けることができ、
また、一方の側壁側のそれぞれのレール材に係止片が取り付けられて、該一方の側壁側の第１のレール材と第３のレール材のみに支持され第１のレール材と第３のレール材を渡すように、及び／又は該一方の側壁側の第２のレール材と第４のレール材のみに支持され第２のレール材と第４のレール材を渡すように、棚板を取り付けることができる収納空間構造。
【発明の詳細な説明】
【技術分野】
【０００１】
本発明は、効率的な収納を行うことができる収納空間に関する。
【背景技術】
【０００２】
従来より、収納空間内の壁面に、ハンガーパイプや棚板を係止する係止片を、任意の高さ位置に取り付けることができるレール材を設け、収納する物品に合わせて、係止片の取り付け高さを変更し、ハンガーパイプや棚板の取り付け高さを自由に変更できる収納空間構造は提案されている。
【先行技術文献】
【特許文献】
【０００３】
【特許文献１】特開２００５−２６１５８０号公報
【発明の概要】
【発明が解決しようとする課題】
【０００４】
しかし、このような収納空間構造では、ハンガーパイプや棚板の高さ位置や個数を使用者の希望により選択することはできるが、収納空間内を効率的に利用できているとはいい難かった。
【０００５】
特に、効率的な収納空間の使い方についてノウハウのない一般的な使用者にとっては、この問題は顕著であった。
【０００６】
本発明は、以上のような問題点に鑑み、収納空間の効率的な利用を実現するための収納空間構造を提供することを課題とする。
【課題を解決するための手段】
【０００７】
上記の課題は、開口部を有する正面部と、左右の側壁部と、該左右の側壁部を連設する背面部により四周の壁面を構成される平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられており、
第１のレール材、及び／又は第２のレール材の、それぞれ対となる同じ高さ位置に係止片を取り付け、該係止片にハンガーパイプを、左右の側壁部間に渡すように取り付けることができることを特徴とする収納空間構造により解決される。
【０００８】
この収納空間構造では、第１のレール材が、対で、左右の側壁部にそれぞれ、側壁部の背面部と接する端部より５０〜１００ｍｍの位置に備えられており、第１のレール材に取り付けられた対の係止片に、ハンガーパイプが、左右の側壁部間に渡すように取り付けられているので、このハンガーパイプにハンガーを介して吊るすジャケット類やズボン類などを背面部と平行になるように吊るすことができ、収納空間の奥側の空間を有効に利用することができる。
【０００９】
また、第２のレール材が、対で、左右の側壁部にそれぞれ、第１のレール材より正面部側に３５０〜４５０ｍｍの間隔をあけて備えられており、第２のレール材に取り付けられた対の係止片に、ハンガーパイプが、左右の側壁部間に渡すように取り付けられているので、このハンガーパイプにハンガーを介して吊るすジャケット類やズボン類などを左右の側壁部と平行に吊るすことができ、第１のレール材に取り付けられたハンガーパイプと相まって、収納空間を効率的に利用することができる。
【００１０】
つまり、第２のレール材に取り付けられるハンガーパイプには、左右の側壁部と平行にジャケット類やズボン類などが吊り下げられ、その吊るされたジャケット類やズボン類と背面部との隙間に、第１のレール材に取り付けられたハンガーパイプに、背面部と平行にジャケット類やズボン類などが吊り下げられるため、収納空間内を効率的に利用することができる。
【００１１】
また、上記の課題は、開口部を有する正面部と、左右の側壁部と、該左右の側壁部を連設する背面部により四周の壁面を構成される平面視矩形の収納空間において、
壁面に垂直に備えられ、壁面の任意の高さ位置に係止片を取り付けることができるレール材であって、
第１のレール材が、対で、左右の側壁部にそれぞれ、側壁部の背面部と接する端部より５０〜１００ｍｍの位置に備えられ、
第２のレール材が、対で、左右の側壁部にそれぞれ、該第１のレール材より正面部側に３５０〜４５０ｍｍの間隔をあけて備えられ、
第３のレール材が、対で、左右の側壁部にそれぞれ、該第２のレール材より背面部側に２０〜１００ｍｍの間隔をあけて備えられ、
第４のレール材が、対で、左右の側壁部にそれぞれ、該第３のレール材より正面部側に３５０〜４５０ｍｍの間隔をあけて備えられており、
それぞれのレール材に係止片が取り付けられ、
それぞれ対の第１のレール材と第３のレール材、及び／又はそれぞれ対の第２のレール材と第４のレール材とに渡すように棚板を取り付けることができる収納空間構造により解決される。
【００１２】
第１のレール材、第２のレール材、第３のレール材及び第４のレール材が、対で、それぞれ左右の側壁部に設けられ、それぞれ対の第１のレール材と第３のレール材、及び／又はそれぞれ対の第２のレール材と第４のレール材とに渡すように棚板が供えられているので、収納空間の正面部側と背面部側とで、異なる高さ位置に棚板を設けることができ、収納空間内の使用者の自由に区分けすることができ、効率的に収納空間を使用することができる。さらに、棚板の奥行き長さが、第１のレール材と第３のレール材、又は第２のレール材と第４のレール材の間隔にあわせて設定されているため、棚板の奥行き寸法は２５０〜４３０ｍｍとなるため、棚板の取り付けや取り外し時には、腕の肘から先端側を棚板の裏側に当てて持ち上げることで、バランスよく棚板の取り付け、取り外し動作を行うことができ、棚板の取り付け作業が苦手な使用者であっても、容易に収納空間内の棚板の取替えを行うことができる。
【００１３】
前記収納空間において、正面部から背面部までの奥行きが壁芯で９００〜１０００ｍｍであるとよい。
【００１４】
収納空間の奥行き寸法を、日本の標準家屋の基本モジュールである壁芯で９００〜１０００ｍｍ内とすることで、この収納空間構造は、収納空間の余分な空きスペースをなくし、空間を効率的に活用する収納空間とすることがでる。
【発明の効果】
【００１５】
本発明は以上のとおりであるから、収納空間の効率的な利用を実現するための収納空間構造を提供することができる。
【図面の簡単な説明】
【００１６】
【図１】本発明の実施形態である収納空間構造であって、図（イ）は断面平面図、図（ロ）は、図（イ）のＡ−Ａ線断面図、図（ハ）は、レール材を示す斜視図である。
【図２】図（イ）は、ハンガーパイプの取付構造を示すものであって、構成部品を分解して示す斜視図、図（ロ）は、棚板の取付構造を示すものであって、構成部品を分解して示す斜視図である。
【図３】図（イ）は、収納空間にハンガーパイプを取り付け、衣類など収納物を収納した状態を示す断面平面図、図（ロ）は、図（イ）のＢ−Ｂ線断面図である。
【図４】図（イ）は、収納空間に棚板を取り付けた状態を示す断面平面図、図（ロ）、収納物を収納した状態を示す断面側面図である。
【図５】棚板の取り付け、取り外し動作を示す断面側面図である。
【図６】図（イ）は、参考実施例であって、棚板と小型の棚板を取り付けた状態を示す断面平面図、図（ロ）は、小型の棚板の取付構造を示すものであって、構成部品を分解して示す斜視図である。
【図７】図（イ）は、参考実施例を示す斜視図、図（ロ）はその利用状況を示す断面平面図である。
【図８】図（イ）、（ロ）は、他の参考実施例を示す斜視図である。
【図９】他の参考実施例を示す斜視図である。
【図１０】他の参考実施例を示す斜視図である。
【発明を実施するための形態】
【００１７】
次に、本発明の実施形態を図面に基づいて説明する。
【００１８】
図１に示す本発明の実施形態である収納空間構造１において、２は全面が開口している正面部、３，４はそれぞれ左右の側壁部、５は背面部であり、背面部５により左右の側壁部は連設され、正面部２、側壁部３，４、背面部５により、この収納空間構造１は、平面視コの字型の収納空間６を形成している。
【００１９】
側壁部３，４及び背面部５は、たとえば、木製の下地桟にプラスターボードをビスで固定し、表面の仕上げにクロスを貼り付けて構成されている。収納空間６の寸法は、ここでは、幅寸法、奥行寸法ともに、壁芯で９１０ｍｍとなっており、下地桟、プラスターボードの厚みを除いた内寸法は８２１ｍｍとなっている。
【００２０】
７，８，９，１０はそれぞれ、左右の側壁部３，４にそれぞれ対で、壁面に対して垂直に取り付けられるレール材であって、図１（ハ）に示すように、長尺方向にそって複数の孔１１‥が設けられ、任意の孔１１‥に後述する係止片を取り付けることで、壁面の任意の高さ位置に係止片を取り付けることができるようになされている。なお、レール材７，８，９，１０に設けられる最上端の孔１１は、天井面より７０ｍｍ以上の間隔を確保して設けられている。天井面より７０ｍｍ以上の間隔を確保しておくことで、後述するように係止片を介してハンガーパイプを取り付けたときに、ハンガーパイプの上側に隙間が確保され、ハンガーパイプに対するハンガーの引っ掛け、取り外し動作の容易さ、及び上部空間での空気の流れを確保することができる。
【００２１】
７，７は、第１のレール材であり、対で、左右の側壁部３，４にそれぞれ、側壁部３，４の背面部５と接する端部より５０〜１００ｍｍの位置に、壁面に垂直に備えられている。
【００２２】
８，８は、第２のレール材であり、対で、左右の側壁部３，４にそれぞれ、第１のレール材７，７より正面部２側に３５０〜４５０ｍｍの間隔をあけて備えられている。
【００２３】
９，９は、第３のレール材であり、対で、左右の側壁部３，４にそれぞれ、第２のレール材８，８より背面部５側に２０〜１００ｍｍの間隔をあけて備えられている。
【００２４】
１０，１０は、第４のレール材であり、対で、左右の側壁部３，４にそれぞれ、第３のレール材９，９より正面部２側に３５０〜４５０ｍｍの間隔をあけて備えられている。
【００２５】
図２（イ）示すように、レール材７，８，９，１０に設けられた孔１１‥にハンガーパイプ取付用係止片１２を取り付け、係止片１２を介して、円筒型のハンガーパイプ１６が、対となるレール材間に、側壁部３，４間に渡すように取り付けられる。
【００２６】
ハンガーパイプ取付用係止片１２は、レール材７，８，９，１０に当接する当接面を有する当接部１３と、当接部から突設し、レール材７，８，９，１０の孔１１‥に差込み、ハンガーパイプ取付用係止片１２を固定する鉤型の係止部１４と、当接部１３の係止部１４が突設する側とは反対側に設けられ、ハンガーパイプ１６の端部を支承する断面半円型の受け部１５とからなる。
【００２７】
図２（ロ）に示すように、棚板１７は、矩形の平板材からなり、幅寸法は、収納空間６の左右の側壁部３，４間を渡す長さとなっており、奥行き寸法は、第１のレール材７，７と第３のレール材９，９、又は／及び第２のレール材８，８と第４のレール材１０，１０間を渡して取り付けることができる寸法となっている。
【００２８】
棚板１７の裏面１８の左右両端側には、棚板取付用係止片２０に係止するための止付部１９が、左右２箇所ずつ設けられている。なお、左右それぞれの止付部１９間の寸法は、第１のレール材７，７と第３のレール材９，９、及び第２のレール材８，８と第４のレール材１０，１０との距離にあわせられている。
【００２９】
棚板取付用係止片２０は、円柱型の係止部本体２１と、係止部本体２１の端部から突設し、レール材７，８，９，１０の孔１１‥に差込み、棚板取付用係止片２０を固定する鉤型の係止部２２とからなる。
【００３０】
この収納空間構造１では、各レール材７，８，９，１０の孔１１‥の任意の高さ位置に係止片１２，２０を取り付け、係止片１２，２０を介して、ハンガーパイプ１６や棚板１７を取り付けることで収納空間６内をさまざまなバリエーションを持つ収納に変化させることができる。
【００３１】
図３に示すように、左右の側壁部３，４にそれぞれ対で取り付けられた第１のレール材７，７及び第２のレール材８，８間に、ハンガーパイプ取付用係止片１２‥を介して、ハンガーパイプ１６‥がそれぞれ高さ方向に位置を異ならせて複数本取り付けられている。そして、ハンガーパイプ１６‥には、ハンガー２３が吊り下げられ、ハンガー２３により、ジャケット、ズボン、シャツなどの衣類２４が吊り下げられている。
【００３２】
第１のレール材７，７に渡されたハンガーパイプ１６に吊り下げられた衣類２４は、衣類２４の表裏面が背面部５と平行となるように吊るされ、第２のレール材８，８に渡されたハンガーパイプ１６に吊り下げられた衣類２４は、衣類２４の表裏面が左右の側壁部３，４と平行となるように吊るされることで、狭い収納空間であっても効率的に衣類２４を吊るすことができる。特に、一般的な日本の住宅では壁芯で９００〜１０００ｍｍ角のグリッド単位で平面が区画されており、奥行寸法が壁芯で９００〜１０００ｍｍの収納空間が多いなかで、従来は、側壁部の中央に渡されたハンガーパイプに衣類を吊るすだけだったのを、本発明の収納空間構造１のように、レール材を配置することで、同じ収納空間であっても、衣類と壁面の間に生じるわずかなスペースを効率的に利用して、収納空間の収納効率を向上させることができる。
【００３３】
なお、図３（ロ）に示すように、第１のレール材７，７及び第２のレール材８，８の任意の高さ位置にハンガーパイプ取付用係止片１２を介してハンガーパイプ１６‥を取り付けることで、ハンガー２３‥に吊るした高さ寸法が異なる衣類２４‥を効率的に収納することができ、収納空間６の上から下まで、効率的に衣類２４‥を収納することができる。なお、この実施例では、収納する対象物を衣類としているが、収納される物品は、ジャケット、ズボン、シャツなどの衣類だけに限らず、バッグやネクタイなど他のものであってもよいのはいうまでもない。
【００３４】
図４に示すように、左右の側壁部３，４にそれぞれ対で取り付けられた第１のレール材７，７及び第３のレール材９，９間に、棚板取付用係止片２０‥を介して、棚板１７‥がそれぞれ高さ方向に位置を異ならせて複数箇所取り付けられ、また、左右の側壁部３，４にそれぞれ対で取り付けられた第２のレール材８，８及び第４のレール材１０，１０間に、棚板取付用係止片２０‥を介して、棚板１７‥がそれぞれ高さ方向に位置を異ならせて複数箇所取り付けられている。そして、棚板１７‥の上には、箱に入った物品や靴、衣類、日用雑貨品などさまざまな物品２５が載せられて収納されている。
【００３５】
この収納空間構造１では、左右それぞれの側壁部に、第１のレール材７，７、第２のレール材８，８、第３のレール材９，９及び第４のレール材１０，１０がそれぞれ対で取り付けられ、奥行き寸法が、第１のレール材７，７と第３のレール材９，９、及び第２のレール材８，８と第４のレール材１０，１０間を渡して取り付けることができる寸法となっている棚板１７‥が、第１のレール材７，７と第３のレール材９，９、及び第２のレール材８，８と第４のレール材１０，１０間に渡して取付られており、収納空間６内の正面部側と背面部側とで２枚の分割された棚板１７‥が取り付けられている。
【００３６】
そのため、図４（ロ）に示すように、収納空間６内の正面部側と背面部側とで、棚板１７の高さ位置を揃えたり、異ならせたりすることができ、任意の高さ位置に複数の棚板１７を備え付けられるだけでなく、正面部側と背面部側とで棚板１７の取り付け位置を異ならせることができ、収納物の大きさや内容によって、棚板１７の位置をさまざまにかえることができ、さまざまなバリエーションの収納方法を実現することができる。
【００３７】
さらに、棚板１７の奥行き長さが、第１のレール材と第３のレール材、又は第２のレール材と第４のレール材の間隔にあわせて設定されているため、棚板の奥行き長さは２５０〜４５０ｍｍとなるため、図５に示すように、棚板の取り付けや取り外し時には、腕の肘から先端側を棚板の裏側に当てて持ち上げることで、バランスよく棚板の取り付け、取り外し動作を行うことができ、棚板の取り付け作業が苦手な使用者であっても、容易に収納空間内の棚板の取替えを行うことができる。
【００３８】
また、この収納空間構造１は、収納内容の変更に対応して、次のような使い方ができる。
【００３９】
図６、７に示す、参考実施例では、図６に示すように、左右の側壁部３，４にそれぞれ対で取り付けられた第１のレール材７，７及び第３のレール材９，９間に、棚板取付用係止片２０‥を介して、棚板１７‥がそれぞれ高さ方向に位置を異ならせて複数箇所取り付けられ、また、左の側壁部３に、取り付けられた第２のレール材８及び第４のレール材１０間に、棚板取付用Ｌ型係止片２９，２９を介して、小型の棚板２６がそれぞれ高さ方向に位置を異ならせて複数箇所取り付けられている。
【００４０】
図６（ロ）に示すように、小型の棚板２６は、矩形の平板材からなり、奥行き寸法は、収納空間６の第２のレール材８と第４のレール材１０間を渡す長さとなっており、幅寸法は、左右の側壁部３，４間に渡して取り付けられる棚板１７の幅寸法の略半分程度の長さとなっている。そして、第２のレール材８及び第４のレール材１０に取り付けられた棚板取付用Ｌ型係止片２９，２９を介して、第２のレール材８と第４のレール材１０間を渡すように取り付けられている。
【００４１】
小型の棚板２６の裏面２７の左右両端部側には、棚板取付用Ｌ型係止片２９に係止するための止付部２８としての孔が、左右２箇所ずつ設けられている。なお、左右それぞれの止付部２８間の寸法は、第２のレール材８と第４のレール材１０との距離にあわせられている。
【００４２】
棚板取付用Ｌ型係止片２９には、Ｌ型に屈曲しており、Ｌ型の一方の片には、レール材の孔１１に差し込み、棚板取付用Ｌ型係止片２９を固定する鉤型の係止部３０，３０が備えられ、もう一方の片には、棚板２６の止付部２８に係止する円筒型の突起部３１，３１が２つ備えられている。
【００４３】
この収納空間構造１では、奥行き寸法が、第１のレール材７，７と第３のレール材９，９間を渡して取り付けることができる長さで、幅寸法が、左右の側壁部３，４間を渡すように取り付けられる長さとなっている棚板１７‥が、第１のレール材７，７と第３のレール材９，９間を渡して取り付けられており、奥行き寸法が、第２のレール材８と第４のレール材１０間を渡す長さとなっており、幅寸法は、左右の側壁部３，４間に渡して取り付けられる棚板１７の幅寸法の略半分程度の長さとなっている小型の棚板２６‥が、第２のレール材８と第４のレール材１０間を渡すように取り付けられているので、図７（イ）に示すように、棚板１７と小型の棚板２６がレール材にそれぞれ同じ高さ位置に取り付けられた場合、棚板１７と小型の棚板２６とにより平面が略Ｌ字型棚板を形成することができる。
【００４４】
この収納空間６内の略Ｌ字型の棚板では、図７（ロ）に示すように、人が略Ｌ字型の棚板の空隙部分３２に半身を入れて動作をすることで、収納空間６の奥にまで容易にアクセスすることができる。なお、収納物は、棚板１７と小型の棚板２６それぞれに収納するだけでなく、棚板１７と小型の棚板２６とに渡すようにして収納してもよいのはいうまでもない。また、収納される物品に制限はない。
【００４５】
上記の参考実施例では、棚板１７と小型の棚板２６がそれぞれ同一高さ位置に取り付けられている場合について示したが、それぞれの棚板が取り付けられる位置に制限はなく、収納空間６の活用方法によって自由に選択することができる。例えば、図８（イ）に示すように、最上段には、棚板１７と棚板１７の組み合わせ、上から２段目と３段目は、棚板１７と小型の棚板２６の組み合わせ、最下段は、棚板１７のみとしてもよいし、図８（ロ）に示すように、最上段には、棚板１７と棚板１７の組み合わせ、上から２段目は、棚板１７と小型の棚板２６の組み合わせ、上から３段目は、棚板１７のみ、上から４段目は、小型の棚板２６を左側壁部に取り付け、最下段は小型の棚板２６を右側壁部に取り付けるなど、自由に選択することができる。もちろん、小型の棚板２６を第１のレール材７と第３のレール材９に渡すように取り付けてよいのはいうまでもない。
【００４６】
さらに、図９に示す参考実施例のように、棚板１７、２６とハンガーパイプ１６とを組み合わせて取り付けてもよいのはいうまでもない。
【００４７】
また、図１０に示す参考実施例では、棚板にスリットの入ったスノコ状の棚板３３を用いた場合である。スノコ状の棚板３３を用いることで棚板３３の上側と下側で空気の移動が起こり、例えば布団などの湿気を含む収納物であっても、湿気をこもらせることなく収納することがきる。
【００４８】
以上に、本発明の実施形態を示したが、本発明はこれに限られるものではなく、発明思想を逸脱しない範囲で各種の変更が可能である。例えば、上記の実施形態では、左右の側壁部にレール材が突設して備えられている場合について示したが、レール材は側壁部に埋め込まれて備えられていてもよいのはいうまでもなく、レール材の形状に制限はなく、状況にあわせて任意に選択されてよいのはいうまでもない。
【００４９】
また、上記実施形態では、レール材に係止片が取り付けられ、係止片を介して、ハンガーパイプや棚板が取り付けられている場合について示したが、係止片は必ずしも独立した部材である必要はなく、ハンガーパイプや棚板の一部としてその機能を発揮するものであってもよいのはいうまでもない。さらに、係止片の形状にも制限はなく、機能やデザインなどを考慮して任意に選択されればよい。
【００５０】
また、上記の実施形態では、いわゆる日本の住宅の一般的な規格寸法の１モジュール角である、およそ壁芯で９００〜１０００ｍｍ角の収納空間に適用した場合について示したが、本発明は、この寸法に制限されることなく、異なる形状の収納空間に適用することができるのはいうまでもない。さらに、本発明で提案したハンガーパイプ、棚板のほかに、他の収納構造、たとえば、ロープなどとの組み合わせにより構成されてもよいのはいうまでもない。
【００５１】
また、第１のレール材７と第３のレール材９間の間隔と、第２のレール材８と第４のレール材１０間の間隔とは、同じであってもよいし、異なってもよく、同じであれば、同じ形状の棚板が、第１のレール材７と第３のレール材９間及び第２のレール材８と第４のレール材１０間を渡すように用いることができ、異なっていれば、それぞれ異なる形状の棚板が用いられればよい。
【００５２】
また、上記実施形態では、収納物として、衣類や箱類、かばん、ふとんなどが収納される場合について示したが、対象となる収納物に制限はなく、収納空間の構成の仕方によってあらゆるものが収納対象となる。
【符号の説明】
【００５３】
１・・・収納空間構造
２・・・正面部
３・・・側壁部（左）
４・・・側壁部（右）
５・・・背面部
６・・・収納空間
７・・・第１のレール材
８・・・第２のレール材
９・・・第３のレール材
１０・・・第４のレール材
１１・・・孔
１２・・・ハンガーパイプ取付用係止片
１６・・・ハンガーパイプ
１７・・・棚板
２０・・・棚板取付用係止片
２３・・・ハンガー
２４、２５・・・収納物（衣類など）
【図１】
0005801070.tif 000002
【図２】
0005801070.tif 000003
【図３】
0005801070.tif 000004
【図４】
0005801070.tif 000005
【図５】
0005801070.tif 000006
【図６】
0005801070.tif 000007
【図７】
0005801070.tif 000008
【図８】
0005801070.tif 000009
【図９】
0005801070.tif 000010
【図１０】
0005801070.tif 000011